(57)【要約】【課題】複数の受信機が関連を持ちながらオーディオデータを受信して放音する場合において、ある受信機の放音が抑止されているときに適切な状態で放音の抑止を解除しうるオーディオシステムを提供する。【解決手段】無線通信機能を備えたスピーカ装置２０とＳＷ３０は、各々と無線接続された通信装置からオーディオストリームデータを受信して放音する。ＳＷ３０は、通信装置との間の無線接続が切断されたときに、それ以後の放音を抑止する。スピーカ装置２０は、ＳＷが放音を抑止している状態か否かを検出し、ＳＷ３０が放音を抑止している状態であれば、放音の抑止を解除する放音抑止解除コマンドをＳＷ３０に送信する。ＳＷ３０は、通信装置との無線接続が再開したときに、スピーカ装置から送信される放音抑止解除コマンドに従って放音の抑止を解除して放音を再開する。【選択図】図７
2011061628.tif 000002
【特許請求の範囲】
【請求項１】
外部装置と無線接続され、当該外部装置からオーディオストリームデータを各々受信する第１オーディオ装置と第２オーディオ装置とを含み、
前記第１オーディオ装置は、
前記オーディオストリームデータに基づく音を放音する放音手段と、
前記外部装置との間の無線接続が切断されたことを契機として、それ以後の前記放音手段による放音を抑止する放音抑止手段と、
前記第２オーディオ装置からの要求に応じて、前記放音抑止手段により放音が抑止されているか否かを示す放音抑止情報を前記第２オーディオ装置へ送信する放音抑止情報送信手段と、
前記第２オーディオ装置から放音の抑止を解除する解除指示を受信した場合に、前記放音抑止手段による放音の抑止を解除させる放音抑止制御手段とを備え、
前記第２オーディオ装置は、
前記オーディオストリームデータに基づく音を放音する放音手段と、
前記第１オーディオ装置に前記放音抑止情報を要求する放音抑止情報要求手段と、
放音を抑止していることを示す前記放音抑止情報を前記第１オーディオ装置から受信した場合に、前記解除指示を前記第１オーディオ装置へ送信する解除指示送信手段とを備える
ことを特徴とするオーディオシステム。
【請求項２】
前記放音抑止情報送信手段は、前記外部装置との無線接続が切断され、当該外部装置との無線接続が再開した場合において、前記第２オーディオ装置から前記要求を受付けたときに、前記放音抑止情報を前記第２オーディオ装置へ送信することを特徴とする請求項１記載のオーディオシステム。
【請求項３】
前記第１オーディオ装置は、前記第２オーディオ装置からの要求に応じて、自装置を示す識別情報を送信する応答手段を備え、
前記第２オーディオ装置は、前記第１オーディオ装置から送信される前記識別情報の受信の有無により、前記第１オーディオ装置が無線通信可能な範囲に存在するか否かを検出する検出手段を備え、
前記放音抑止情報要求手段は、前記検出手段により前記第１オーディオ装置が無線通信可能な範囲に存在することが検出された場合に、検出された前記第１オーディオ装置を指定して前記放音抑止情報を要求することを特徴とする請求項１又は２に記載のオーディオシステム。
【請求項４】
前記第２オーディオ装置は、
前記第１オーディオ装置が現時点において放音を抑止すべきか否かを示す設定情報を予め記憶する記憶手段を備え、
前記解除指示送信手段は、放音を抑止していることを示す前記放音抑止情報を前記第１オーディオ装置から受信した場合に、前記記憶手段に記憶されている前記設定情報に基づいて、前記第１オーディオ装置が自発的に放音を抑止している状態か否かを判断し、自発的に放音を抑止している状態であると判断したときに、前記解除指示を前記第１オーディオ装置へ送信することを特徴とする請求項１〜３のいずれか一項に記載のオーディオシステム。
【請求項５】
前記第２オーディオ装置は、
前記第１オーディオ装置における放音に関する放音制御情報を記憶する記憶手段を備え、
前記解除指示送信手段は、前記解除指示と共に、前記記憶手段に記憶されている前記放音制御情報を前記第１オーディオ装置へ送信し、
前記第１オーディオ装置の放音抑止制御手段は、前記解除指示と前記放音制御情報とを受信した場合に、前記解除指示に従って前記放音抑止手段による放音の抑止を解除させると共に、前記放音手段の放音処理を前記放音制御情報に従ったものに設定することを特徴とする請求項１〜４のいずれか一項に記載のオーディオシステム。
【発明の詳細な説明】
【技術分野】
【０００１】
本発明は、オーディオシステムに関し、特に、オーディオデータを受信する受信機間における制御技術に関する。
【背景技術】
【０００２】
下記の特許文献１には、オーディオアンプにサブウーファーが有線接続され、オーディオアンプからサブウーファーへオーディオ信号を伝送し、サブウーファーにおいて当該オーディオ信号の低域成分を抽出して出力するように構成されたオーディオシステムが開示されている。
このオーディオシステムのオーディオアンプには、サブウーファーの電源をオーディオアンプ側からコントロールするためのサブウーファー用の電源ボタンが設けられており、サブウーファー用の電源ボタンがユーザによって押下された場合には、オーディオアンプからサブウーファーに対し、可聴帯域のオーディオ信号の周波数より高い高周波信号をオーディオ信号と合成してサブウーファーに出力する。サブウーファーでは、合成信号から低域のオーディオ信号を抽出すると共に、高周波成分の信号を抽出することにより電源のオンオフを切替える。
【先行技術文献】
【特許文献】
【０００３】
【特許文献１】特開２００６−１４０８２４号公報
【発明の概要】
【発明が解決しようとする課題】
【０００４】
ところで、同じオーディオデータを複数の受信機で受信し、同時に出力するような場合に、ある受信機と送信機との通信が切断される等の障害が発生したとき、障害発生時に意図しない放音を行わないために、その受信機において自動的に電源をオフにしたり、ミュートする等、放音を抑止するよう設定されている場合がある。
このような場合、その受信機と送信機との通信が再接続された際、その受信機が放音を再開することはできる。しかし、複数の受信機が帯域などを分担し、全体として関連しながらオーディオデータの音を放音する場合には、通信の復帰に伴って放音を開始すると、必ずしも以前の送信機からのオーディオデータを受信するとも限らず、またその他予期せぬ状態の発生も懸念され、ユーザが意図しない音が放音されてしまうこともある。
本発明は、複数の受信機が関連を持ちながらオーディオデータを受信して放音する場合において、ある受信機の放音が抑止されているときに適切な状態で放音の抑止を解除しうるオーディオシステムを提供する。
【課題を解決するための手段】
【０００５】
本願の請求項１に係るオーディオシステムは、外部装置と無線接続され、当該外部装置からオーディオストリームデータを各々受信する第１オーディオ装置と第２オーディオ装置とを含み、前記第１オーディオ装置は、前記オーディオストリームデータに基づく音を放音する放音手段と、前記外部装置との間の無線接続が切断されたことを契機として、それ以後の前記放音手段による放音を抑止する放音抑止手段と、前記第２オーディオ装置からの要求に応じて、前記放音抑止手段により放音が抑止されているか否かを示す放音抑止情報を前記第２オーディオ装置へ送信する放音抑止情報送信手段と、前記第２オーディオ装置から放音の抑止を解除する解除指示を受信した場合に、前記放音抑止手段による放音の抑止を解除させる放音抑止制御手段とを備え、前記第２オーディオ装置は、前記オーディオストリームデータに基づく音を放音する放音手段と、前記第１オーディオ装置に前記放音抑止情報を要求する放音抑止情報要求手段と、放音を抑止していることを示す前記放音抑止情報を前記第１オーディオ装置から受信した場合に、前記解除指示を前記第１オーディオ装置へ送信する解除指示送信手段とを備えることを特徴とする。
【０００６】
また、請求項２に係るオーディオシステムは、前記請求項１の構成において、前記放音抑止情報送信手段は、前記外部装置との無線接続が切断され、当該外部装置との無線接続が再開した場合において、前記第２オーディオ装置から前記要求がなされたときに、前記放音抑止情報を前記第２オーディオ装置へ送信することを特徴とする。
【０００７】
また、請求項３に係る前記第１オーディオ装置は、前記請求項１又は２の構成において、前記第２オーディオ装置からの要求に応じて、自装置を示す識別情報を送信する応答手段を備え、前記第２オーディオ装置は、前記第１オーディオ装置から送信される前記識別情報の受信の有無により、前記第１オーディオ装置が無線通信可能な範囲に存在するか否かを検出する検出手段を備え、前記放音抑止情報要求手段は、前記検出手段により前記第１オーディオ装置が無線通信可能な範囲に存在することが検出された場合に、検出された前記第１オーディオ装置を指定して前記放音抑止情報を要求することを特徴とする。
【０００８】
また、請求項４に係るオーディオシステムは、前記請求項１〜３の何れか一項の構成において、前記第２オーディオ装置は、前記第１オーディオ装置が現時点において放音を抑止すべきか否かを示す設定情報を予め記憶する記憶手段を備え、前記解除指示送信手段は、放音を抑止していることを示す前記放音抑止情報を前記第１オーディオ装置から受信した場合に、前記記憶手段に記憶されている前記設定情報に基づいて、前記第１オーディオ装置が自発的に放音を抑止している状態か否かを判断し、自発的に放音を抑止している状態であると判断したときに、前記解除指示を前記第１オーディオ装置へ送信することを特徴とする。
【０００９】
また、請求項５に係るオーディオシステムは、前記請求項１〜４の何れか一項の構成において、前記第１オーディオ装置における放音に関する放音制御情報を記憶する記憶手段を備え、前記解除指示送信手段は、前記解除指示と共に、前記記憶手段に記憶されている前記放音制御情報を前記第１オーディオ装置へ送信し、前記第１オーディオ装置の放音抑止制御手段は、前記解除指示と前記放音制御情報とを受信した場合に、前記解除指示に従って前記放音抑止手段による放音の抑止を解除させると共に、前記放音手段の放音処理を前記放音制御情報に従ったものに設定することを特徴とする。
【発明の効果】
【００１０】
請求項１の構成によれば、第１オーディオ装置における放音の抑止状態を、第２オーディオ装置の制御の下で自動解除することができる。
【００１１】
請求項２の構成によれば、第１オーディオ装置と外部装置との無線接続が切断されているときに、第１オーディオ装置から第２オーディオ装置に放音抑止情報が送信されないため、第１オーディオ装置が放音を抑止していたとしても第２オーディオ装置から第１オーディオ装置へ解除指示が送信されない。従って、第１オーディオ装置と外部装置との無線接続が切断中は、第１オーディオ装置が放音を抑止していても放音の抑止を解除しないように制御することができ、第１オーディオ装置と外部装置との無線接続が切断中に、第１オーディオ装置から意図しない音が放音されることを防止することができる。
【００１２】
請求項３の構成によれば、放音抑止情報の要求を第１オーディオ装置に対して確実に送信することができる。
【００１３】
請求項４の構成によれば、第１オーディオ装置による放音の抑止が予め設定されたものでない場合に、第１オーディオ装置による放音の抑止を第２オーディオ装置によって解除することができる。
【００１４】
また、請求項５の構成によれば、第１オーディオ装置の放音が再開したときに、第２オーディオ装置と第１オーディオ装置の放音を自動調整することができる。
【図面の簡単な説明】
【００１５】
【図１】実施形態に係るオーディオシステムのシステム構成例を示す図である。
【図２】実施形態におけるスピーカ装置のブロック図である。
【図３】(ａ)は、スピーカ装置だけで放音する場合の設定情報のデータ例を示す図である。(ｂ)は、スピーカ装置とサブウーファー装置とで放音する場合の設定情報のデータ例を示す図である。
【図４】実施形態におけるコマンドの構成例を示す図である。
【図５】実施形態におけるサブウーファー装置のブロック図である。
【図６】実施形態における通信装置のブロック図である。
【図７】実施形態に係るオーディオシステムの動作フローを示す図である。
【図８】実施形態におけるミュート処理及び応答制御処理を示す動作フローである。
【発明を実施するための形態】
【００１６】
＜概要＞
図１は、本実施形態におけるオーディオシステムのシステム構成図である。図１に示すように、オーディオシステム１は、それぞれ通信機能を有するスピーカ装置２０、低域の音を放音するサブウーファー装置(以下、ＳＷと言う。)３０、及び通信装置４０を含んで構成されており、通信装置４０とスピーカ装置２０、通信装置４０とＳＷ３０との間は無線リンクが確立されている。
【００１７】
通信装置４０は、携帯オーディオ機器４１と通信モジュール４２とで構成されており、両者は着脱自在になっている。携帯オーディオ機器４１が通信モジュール４２に装着されると、通信モジュール４２は、携帯オーディオ機器４１が出力する楽曲等のオーディオデータをパケット化し、通信モジュール４２を介してブロードキャストでストリーム伝送する。スピーカ装置２０とＳＷ３０は、通信装置４０が出力するオーディオデータを各々受信し、予め各装置において設定されたボリューム値や帯域に従って放音する。
【００１８】
ＳＷ３０は、通信装置４０との無線接続が切断された場合には、ミュート処理を行って放音を抑止し、通信装置４０との無線接続の再開後は、スピーカ装置２０からのミュート処理を解除する指示がなされるまでは、放音を抑止した状態(以下、ミュート状態と言う)を維持する。
【００１９】
スピーカ装置２０は、ＳＷ３０と無線接続を行い、ミュート状態か否かを示す放音抑止情報をＳＷ３０へ要求してＳＷ３０がミュート状態か否かを検出する。ＳＷ３０がミュート状態であれば、ＳＷ３０と通信装置４０の無線接続の再開時にミュート状態を解除する指示をＳＷ３０に送信することで、ＳＷ３０の放音を再開させる。以下、上記各装置の詳細について説明する。
【００２０】
＜構成＞
（スピーカ装置２０の構成）
図２は、スピーカ装置２０のブロック図であり、以下、図２に示す各部について説明する。無線通信部２１１は、通信制御部２１２の制御の下、他の装置との間で無線通信を行う。無線通信部２１１は、電波の強度に応じた通信範囲内において通信接続可能な他の装置を検出して、物理層レベルでの無線リンクを確立する。また、無線通信部２１１は、通信装置４０との間で無線リンクが確立して通信可能な状態となった場合には、通信装置４０から送信されるオーディオストリームデータを受信して通信制御部２１２へ送出する。
【００２１】
通信制御部２１２は、制御部２１４の制御の下、他の装置との無線リンクの確立や無線リンクの切断、無線リンクが確立された装置との間でデータの送受信を行う等の各種通信処理を行うよう無線通信部２１１を制御する機能と、受信したオーディオデータを音声処理部２１５へ送出する機能を有する。
なお、本実施形態では、スピーカ装置２０とＳＷ３０の各々が通信モジュール４２と無線接続されている状態の場合には、スピーカ装置２０とＳＷ３０との間で無線リンクを確立して無線通信することができるが、ＳＷ３０と通信モジュール４２との間で無線接続されていない状態の場合には、スピーカ装置２０とＳＷ３０との間で無線通信することができない。
【００２２】
記憶部２１３は、不揮発性メモリなどの記憶媒体であり、自装置およびＳＷ３０の再生帯域を記憶するとともに、放音のボリューム値や、放音を抑止するか否かを示すミュート設定を記憶する。ボリュームは、操作者が操作部２０ａを操作することによって適宜値が変化するが、変化する毎に記憶部２１３内のボリューム値を更新するようになっている。
また、ミュート設定は、例えば、通信装置４０との無線接続を切断して新たな通信装置４０と無線接続を行う場合等や、ユーザ操作によってミュート処理が指示された場合など、放音を抑止すべき状態である場合に自装置とＳＷ３０をミュート状態に設定する。なお、以下において、上記したボリューム値、帯域、ミュート設定等を設定情報という。
【００２３】
ここで、本実施形態における設定情報の例を図３に示す。図３（ａ）は、スピーカ装置２０だけで放音を行う場合の設定情報のデータ例を示している。図３(ａ)に示すように、本実施形態では、ユーザ操作により現在設定されているボリューム値と、スピーカ装置２０の再生帯域が記憶されている。この例では、「０」〜「２５５」の範囲で値をとるボリューム値として「１２５」が設定されており、再生帯域として４０Ｈｚ〜３３ｋＨｚが設定されている。
【００２４】
また、図３（ｂ）は、スピーカ装置２０とＳＷ３０の双方で放音を行う場合の設定情報のデータ例を示している。図３(ｂ)に示すように、この場合には、スピーカ装置２０とＳＷ３０の各々のボリューム値と帯域とミュート設定を示す情報が設定される。帯域は、デフォルト値が決められているが、ユーザ操作によって帯域の変更ができるようになっている。また、ミュート設定には、ユーザ操作等により放音を抑止すべき状態であるときに、「１」が設定され、放音を抑止すべきでない状態、つまり、ユーザ操作によりミュート処理が指示されていない状態等の場合に「０」が設定される。このミュート設定は、ＳＷ３０が自発的にミュート処理を行っているか否かを判断する際に参照される。即ち、ミュート設定において「０」が設定されているにも関わらず、ＳＷ３０がミュート状態であれば、自発的にミュート処理を行ったものと判断される。
【００２５】
なお、本実施形態では、設定情報のボリューム値と同じボリューム値がスピーカ装置２０とＳＷ３０に設定される例であるが、スピーカ装置２０に対するＳＷ３０のボリューム値の比率等が予め設定されている場合には、スピーカ装置２０に現在設定されているボリューム値に対する、スピーカ装置２０とＳＷ３０の比率に応じたボリューム値を各々設定するようにしてもよい。更に、上記の例では、ボリュームと帯域について設定されている例であるが、放音の遅延時間や音響効果に関する情報等が設定情報に含まれてもよい。
【００２６】
図２の説明に戻る。制御部２１４は、ＣＰＵ（Central Processing Unit）、ＲＯＭ（Read Only Memory）、ＲＡＭ（Random Access Memory）を含んで構成されており、ＣＰＵは、ＲＯＭに記憶されている制御プログラムをＲＡＭにロードして実行することにより、スピーカ装置２０の各部を制御する機能を有する。特に、制御部２１４は、自装置が通信装置４０からオーディオデータを受信している間、ＳＷ３０がミュート状態か否かを検出する。そして、ＳＷ３０がミュート状態であれば、図３(ｂ)に示す設定情報のミュート設定に基づき、ＳＷ３０の自発的なミュート処理によるミュート状態の場合に、そのミュート状態を解除する指示のコマンドをＳＷ３０に送信する。
【００２７】
ここで、本実施形態で用いるコマンドの構成例について図４を用いて説明する。図４は、スピーカ装置２０からＳＷ３０に対して送信するコマンドの一例を示す図である。図４に示すように、コマンドデータは、例えば１６バイトで構成されており、ヘッダー部とコマンド部とが含まれている。
【００２８】
ヘッダー部には、コマンドのシーケンスナンバーを示すｏｐｃｏｄｅと、コマンドデータのデータ長と、送信する装置を示す宛先ＮｏｄｅＩＤと、送信元の装置を示す送り元ＮｏｄｅＩＤとが含まれている。宛先ＮｏｄｅＩＤと送り元ＮｏｄｅＩＤは、ＳＷ３０とスピーカ装置２０の間でデータのやりとりを行う際に各装置のＩＤが設定される。本実施形態では、これらのＩＤは、通信装置４０と無線リンクが確立された際に、各装置を識別するＩＤとして通信装置４０により割当てられる。
【００２９】
コマンド部には、機器ＩＤ、コントロールＩＤ、Ｄａｔａ０・・・Ｄａｔａ６のデータ部が含まれている。機器ＩＤには、ＳＷ等の機器種別を示す情報が設定される。コントロールＩＤは、コマンドの実体を示す情報として、無線接続状態の通知、ミュート状態か否かを要求する指示、ミュート状態を解除する指示や、ボリューム値変更の通知、帯域の設定指示などを表す情報が設定される。また、データ部には、各コマンドＩＤに対応するコマンドで指示する内容のデータが設定される。
【００３０】
図２に戻り、スピーカ装置２０の構成の説明を続ける。音声処理部２１５は、ＤＳＰ（Digital Signal Processor）等で構成されており、制御部２１４の制御の下、スピーカ装置２０の設定情報に基づいて、通信制御部２１２から送出されたオーディオデータからスピーカ装置２０の再生帯域に対応するオーディオデータを抽出する等の音響処理を行い、Ｄ／Ａ変換したオーディオ信号を増幅部２１６へ送出する機能を有する。
【００３１】
増幅部２１６は、制御部２１４の制御の下、入力されたオーディオ信号を増幅して放音部２１７に送出する。放音部２１７は、本実施形態においては複数のスピーカによってスピーカアレイが構成され、増幅部２１６から入力されたオーディオ信号の各チャンネルに対応した音響ビームを出力する。
【００３２】
操作部２１８は、ユーザからの指示を入力するための操作子（ボタン、つまみ、スイッチを含む）を有し、操作子に対するユーザ操作に応じた操作信号を出力する。例えば、ユーザは、ボリュームを調節するつまみを操作することでスピーカ装置２０において現在設定されているボリュームを変更することができる。また、ユーザは、ミュート処理を指示するボタンを押下することで、スピーカ装置２０をミュート状態に設定することができる。
【００３３】
表示部２１９は、制御部２１３の制御の下、スピーカ装置２０を操作するためのメニュー画面や設定情報の変更を行う設定画面などを表示する機能を有する。次に、ＳＷ３０の構成について説明する。
【００３４】
（ＳＷ３０の構成）
図５は、ＳＷ３０の構成を示すブロック図である。無線通信部３１１は、通信制御部３１２の制御の下、上述した無線通信部２１１と同様に、他の装置との間で無線通信を行う。
通信制御部３１２は、上述した通信制御部２１２と同様、無線通信部３１１による各種通信処理を制御する機能を有すると共に、通信装置４０との無線通信が切断された場合には、スピーカ装置２０からの要求に対する応答は不可能となり、また、放音部３１４からの放音を停止させる。
【００３５】
音声処理部３１３は、ＳＷ３０において設定された再生帯域に基づき、無線通信部３１１から送出されたオーディオデータから低域のオーディオデータを抽出するなどの音響処理を行い、Ｄ／Ａ変換したオーディオ信号を放音部３１４へ送出する機能を有する。
【００３６】
放音部３１４は、音声処理部３１３により出力されたオーディオ信号を設定されたボリューム値に応じた増幅率で増幅し、増幅したオーディオ信号を放音するスピーカを有する。また、放音部３１４は、通信制御部３１２から通信切断情報を受付けた場合にミュート処理を行い、スピーカから放音しないよう制御する。以上がＳＷ３０の構成である。次に、通信装置４０の構成について説明する。
【００３７】
（通信装置４０の構成）
図６は、通信装置４０の構成を示すブロック図である。図６に示すように、通信装置４０は、携帯オーディオ機器４１および通信モジュール４２を含んで構成されている。携帯オーディオ機器４１は、電池等の電源部(図示略)から電力が供給されており、通信モジュール４２は、インターフェース４１６と４２１を介して接続されている。本実施形態では、通信モジュール４２は、携帯オーディオ機器４１と接続されることで、携帯オーディオ機器４１内の電源部（図示略）から電力が供給される構成となっているが、通信モジュール４２内の各部に電力を供給する電池が通信モジュール４２内部に設けられていてもよい。以下、各装置の各部について説明する。
【００３８】
携帯オーディオ機器４１は、制御部４１１、記憶部４１２、操作部４１３、表示部４１４、音声出力部４１５、及びインターフェース４１６を含んで構成されている。制御部４１１は、ＣＰＵ、ＲＯＭ、及びＲＡＭを含んで構成されており、ＣＰＵは、ＲＯＭから制御プログラムをＲＡＭに読み出して実行することにより、携帯オーディオ機器４１の各部を制御する機能を有する。具体的には、通信モジュール４２がインターフェース４１６に接続された際には、後述する記憶部４１２内のオーディオデータのうち、ユーザによって選択されたオーディオデータをインターフェース４１６に送出し、通信モジュール４２へ出力する。
【００３９】
記憶部４１２は、例えばハードディスク、不揮発性メモリなどの記憶手段であって、楽曲や映像等のコンテンツデータや、コンテンツを再生する際のボリューム値等の情報を記憶する。操作部４１３は、ユーザが操作を行うための操作子を有し、操作子に対するユーザ操作を示す操作信号を制御部４１１へ送出する機能を有する。この操作子は、例えば、回転操作可能な操作子等であり、操作子の時計回りの回転操作によりボリューム値を増加させたり、反時計回りの回転操作によりボリューム値を減少させる等を指示することができる。
【００４０】
表示部４１４は、液晶等のディスプレイで構成されており、制御部４１１の制御の下、動画や静止画等の画像を表示する機能を有する。音声出力部４１５は、ヘッドホンなどの放音手段を接続する接続端子を有し、制御部４１１から入力されるオーディオ信号を放音手段から出力する機能を有する。インターフェース４１６は、通信モジュール４２等の外部機器と接続し、外部機器との間でやりとりされるデータを仲介する接続端子である。
【００４１】
次に、通信モジュール４２の構成について説明する。通信モジュール４２は、インターフェース４２１、無線通信部４２２、及び通信制御部４２３を含んで構成されている。
無線通信部４２２と通信制御部４２３は、上述したスピーカ装置２０の無線通信部２１１及び通信制御部２１２と同様、外部装置との間で無線通信を行う機能を有する。
【００４２】
また、インターフェース４２１は、携帯オーディオ機器４１のインターフェース４１６と同様、外部機器と接続し、接続された機器との間でデータの授受を仲介する接続端子である。本実施形態では、携帯オーディオ機器４１と接続され、携帯オーディオ機器４１からオーディオデータを受け取って無線通信部４２２へ送出する。
【００４３】
＜動作＞
次に、本実施形態のオーディオシステム１の動作について説明する。通信装置４０、スピーカ装置２０、ＳＷ３０の電源がオンされ、通信装置４０から、オーディオデータを伝送するマスタ装置として機能するためのマスタ要求がブロードキャスト送信される。一方、スピーカ装置２０及びＳＷ３０は、マスタ装置が通信範囲内にあるかどうかを検索し、通信装置４０のマスタ要求を受信すると、通信装置４０との間に無線リンクを確立する。
【００４４】
そして、通信装置４０の通信モジュール４２により、スピーカ装置２０とＳＷ３０に対して各々を識別するＩＤが割当てられ、各装置に対し、割当てたＩＤと通信モジュール４２を識別するＩＤとを含む接続要求信号が送信される。スピーカ装置２０とＳＷ３０は、割当てられたＩＤと通信モジュール４２を識別するＩＤを自装置内に記憶し、接続要求信号に対する応答信号を通信装置４０に対して送信する。これにより通信装置４０とスピーカ装置２０、及び、通信装置４０とＳＷ３０の間で無線通信可能な状態となり、通信装置４０からスピーカ装置２０とＳＷ３０に対してオーディオデータのストリーム伝送が可能となる状態に遷移する。
【００４５】
ここで、携帯オーディオ機器４１において、ユーザ操作によりオーディオデータが選択されて再生指示がなされると、通信装置４０からスピーカ装置２０とＳＷ３０に対してオーディオデータのストリーム伝送が開始される。以下、上記の状態においてスピーカ装置２０とＳＷ３０が行う動作について、図７の動作フローを用いて説明する。なお、スピーカ装置２０の設定情報(図３(ｂ))において、ＳＷのミュート設定は「０」、即ち、ミュート状態ではない設定がなされているものとして説明を行う。
【００４６】
スピーカ装置２０の制御部２１３は、通信装置４０から無線通信部２１１を介してオーディオデータを順次受信し、記憶部２１３に記憶されている設定情報(図３(ａ))に従った再生帯域に対応するオーディオデータを受信したオーディオデータから抽出し、Ａ／Ｄ変換したオーディオ信号を増幅部２１６へ送出する。増幅部２１６は、入力されたオーディオ信号を、設定情報(図３(ａ))に設定されているボリューム値に応じた増幅率で増幅して放音部２１７に送出し、放音部２１７により放音される（ステップＳ１１）。これにより、スピーカ装置２０が単独で放音する場合の設定情報に基づいて再生帯域が決められるため、中高域のオーディオデータの音が放音される。
【００４７】
一方、ＳＷ３０においても、スピーカ装置２０と同様に、通信装置４０から無線通信部３１１を介してオーディオデータを順次受信し、受信したオーディオデータから低域のオーディオデータを音声処理部３１３において抽出し、放音部３１４において予め設定されている増幅率に従ってオーディオ信号を増幅して放音する(ステップＳ２１)。これにより、ＳＷ３０からは低域のオーディオデータの音が放音される。
【００４８】
スピーカ装置２０の制御部２１３は、通信制御部２１２を制御し、無線通信部２１１からスピーカ装置２０のＩＤを含む検出信号を出力し、無線接続可能なＳＷの検出を行う(ステップＳ１２)。
【００４９】
ＳＷ３０の通信制御部３１２は、ステップＳ１２においてスピーカ装置２０から送信された検出信号を、無線通信部３１１を介して受信し、ＳＷ３０に割当てられたＩＤを含む応答信号をスピーカ装置２０へ送信する(ステップＳ２２)。
【００５０】
スピーカ装置２０の無線通信部２１１において、ＳＷ３０からの応答信号を受信した場合、つまり、ＳＷ３０を検出した場合には(ステップＳ１２：ＹＥＳ)、スピーカ装置２０とＳＷ３０とは無線通信が可能な状態となる。そして、制御部２１４は、記憶部２１３に記憶されている図３（ｂ）に示す設定情報からＳＷに関するボリューム値や帯域の情報を各々抽出した放音制御情報を含む各コマンドをＳＷ３０に送信すると共に、図３（ｂ）に示す自装置の設定情報に応じた帯域、ボリューム値となるように音声処理部２１５を制御する。これにより、ＳＷがあるときに応じて設定された帯域のオーディオ信号がスピーカ装置２０から出力されて放音される。(ステップＳ１３)。
【００５１】
一方、ＳＷ３０の通信制御部３１２は、無線通信部３１１を介してスピーカ装置２０から受信したボリューム値や帯域を指示する各コマンドを音声処理部３１３及び放音部３１４へ送出する。音声処理部３１３は、無線通信部３１１を介して順次受信しているオーディオデータから、コマンドで指示された帯域のオーディオ信号を放音部３１４へ送出する。放音部３１４は、コマンドで指示されたボリューム値に応じて、入力されたオーディオ信号を増幅して放音する(ステップＳ２３)。
【００５２】
スピーカ装置２０の制御部２１４は、予め設定された一定時間毎に、ＳＷ３０の無線接続の状態を検出する。即ち、制御部２１４は、通信制御部２１２により無線接続の状態を確認するコマンドを無線通信部２１１を介してＳＷ３０に送信する(ステップＳ１４)。
【００５３】
ＳＷ３０は、通信装置４０との無線接続の状態に応じて、ステップＳ１４においてスピーカ装置２０から送信されたコマンドに対し、自装置に割当てられたＩＤを含む応答信号を送信する(ステップＳ２４)。
【００５４】
ここで、ＳＷ３０が通信装置４０との無線接続の状態に応じて行うミュート処理及び応答制御処理について図８を用いて説明する。ＳＷ３０においてオーディオデータを受信して放音を行っている場合に、ユーザによって通信装置４０が移動される等により、通信装置４０との無線接続が切断されたとき(ステップＳ２１１：ＮＯ)、ＳＷ３０の通信制御部３１２は、無線接続が切断されたことを示す通信切断情報を放音部３１４へ送出し、放音部３１４によりミュート処理を行う。また、通信装置４０との無線接続が切断されたことによりスピーカ装置２０との間で無線通信ができず、スピーカ装置２０への応答ができない状態となる(ステップＳ２１２)。この場合には、図７のステップＳ１４において、スピーカ装置２０からの無線接続の状態を確認するコマンドを無線通信部３１１は受信できず、スピーカ装置２０への応答信号の送信もできなくなる。
【００５５】
その後、通信装置４０との無線接続が再開した場合には(ステップＳ２１３：ＹＥＳ)、スピーカ装置２０との無線通信が可能となり、通信制御部３１２は、スピーカ装置２０に対して応答可能な状態となる(ステップＳ２１４)。通信制御部３１２は、この状態に移行した場合、図７のステップＳ１４において、スピーカ装置２０から無線接続状態の通知を要求するコマンドを受信した際、自装置のＩＤを含む応答信号を無線通信部３１１を介してスピーカ装置２０へ送信する。
なお、ステップＳ２１３における通信装置４０との無線接続が再開したか否かの判断は、以下のようにして行う。ＳＷ３０の通信制御部３１２により、通信装置４０との無線接続の切断後、自装置内に保持している通信モジュール４２のＩＤを有するマスタ装置を検索する処理を行う。そして、当該ＩＤを有するマスタ装置、即ち、通信モジュール４２を検索できた場合に、自装置に割当てられたＩＤを含む接続要求を通信モジュール４２に送信し、無線リンクが確立したときに無線接続が再開したと判断する。
【００５６】
また、ステップＳ２１１において、通信装置４０との無線接続が切断されなければ(ステップＳ２１１：ＹＥＳ)、ミュート処理及び応答制御処理を終了する。また、ステップＳ２１３において、通信制御部３１２は、通信装置４０との無線接続が再開するまでは(ステップＳ２１３：ＮＯ)、ミュート状態で待機する。
【００５７】
図７に戻り、スピーカ装置２０の制御部２１４は、ステップＳ１４において送信したコマンドに対する応答信号を、無線通信部２１１を介してＳＷ３０から受信した場合には(ステップＳ１５：ＹＥＳ)、ＳＷ３０と通信装置４０との間が無線接続されていると判断し、ミュート状態か否かの通知を指示するコマンドを、通信制御部２１２により無線通信部２１１を介してＳＷ３０に送信する(ステップＳ１６)。
【００５８】
ＳＷ３０の通信制御部３１２は、スピーカ装置２０からミュート状態か否かの通知を指示するコマンドを、無線通信部３１１を介して受信すると、放音部３１４においてミュート状態か否かを確認し、ミュート状態か否かを示す情報を含む応答信号を、無線通信部３１１を介してスピーカ装置２０へ送信する(ステップＳ２５)。
【００５９】
スピーカ装置２０の制御部２１４は、ＳＷ３０からミュート状態を示す応答信号を無線通信部２１１において受信した場合(ステップＳ１７：ＹＥＳ)、記憶部２１３の設定情報におけるＳＷのミュート設定を参照する。そして、現在のＳＷ３０のミュート設定がミュート状態でないことを確認すると、ＳＷ３０が自発的にミュート処理を行ったものと判断し、制御部２１４は、ミュート状態の解除を指示するコマンドを、通信制御部２１２により無線通信部２１１を介してＳＷ３０に送信する(ステップＳ１８)。
【００６０】
ＳＷ３０の通信制御部３１２は、無線通信部３１１を介して受信したミュート状態の解除を指示するコマンドを放音部３１４へ送出し、放音部３１４においてミュート処理を解除してオーディオ信号をスピーカに出力し、放音を再開する(ステップＳ２６)。
【００６１】
なお、ステップＳ１２において、スピーカ装置２０の制御部２１４は、ＳＷ３０を検出できなかった場合には(ステップＳ１２：ＮＯ)、スピーカ装置２０だけで放音する場合の設定情報に基づいてオーディオ信号をスピーカから出力して放音を継続する。
【００６２】
また、ステップＳ１５において、スピーカ装置２０の制御部２１４は、ステップＳ１４において送信したコマンドに対する応答信号を、無線通信部２１１を介してＳＷ３０から受信しなかった場合(ステップＳ１５：ＮＯ)、又は、ステップＳ１７においてミュート状態でない旨の応答信号を受信した場合(ステップＳ１７：ＮＯ)、ステップＳ１４に戻り、ＳＷ３０の無線接続の状態を確認する処理を行う。
【００６３】
上述した実施形態では、スピーカ装置２０は、ＳＷ３０が自発的にミュート処理を行ったか否かを確認することができる。また、ＳＷ３０と通信装置４０との無線接続が切断されてＳＷ３０が自発的にミュート処理した場合には、ＳＷ３０と通信装置４０との無線接続が再開された際に、スピーカ装置２０によりＳＷ３０の放音を再開させることができる。
【００６４】
＜変形例＞
以上、本発明の実施形態について説明したが、本発明は上述した実施形態に限るものではなく、以下の変形例も含まれる。
【００６５】
（１）上述した実施形態では、ＳＷ３０の無線接続状態を確認するコマンドに対する応答信号をＳＷ３０から受信した場合に、ミュート状態か否かをＳＷ３０に確認する例(ステップＳ１４〜Ｓ１７)について説明したが、無線接続状態の確認処理を省略し、ミュート状態か否かの確認処理のみを行うようにしてもよい。
【００６６】
（２）上述した実施形態では、ＳＷ３０が通信装置４０と無線接続されていないときは、ＳＷ３０とスピーカ装置２０との間の無線通信を行うことができない例について説明したが、通信装置４０と無線接続されていない場合でも、スピーカ装置２０との間の無線通信を行うことができる構成である場合には、スピーカ装置２０からの要求に応じて応答するようにしてもよい。この場合には、スピーカ装置２０において、ＳＷ３０との無線接続の状態を確認する処理(ステップＳ１４、Ｓ１５)を行う代わりに、ＳＷ３０と通信装置４０との無線接続状態の通知を指示するコマンドを一定時間毎に送信する。そして、ＳＷ３０から通信装置４０との無線接続が切断された旨の応答信号を受信した後、通信装置４０との無線接続が再開した旨の応答信号を受信した場合に、ＳＷ３０がミュート状態であればミュート状態を解除する指示のコマンドをＳＷ３０に送信するように構成する。
【００６７】
（３）また、上述した実施形態では、スピーカ装置２０において、ＳＷ３０との無線接続を確認することにより、ＳＷ３０が通信装置４０と無線接続された状態か否かを判断する例について説明したが、スピーカ装置２０は、通信装置４０を介してＳＷ３０と通信装置４０との無線接続の状態を確認するようにしてもよい。具体的には、例えば、通信装置４０とＳＷ３０との無線接続が切断された際に、無線接続が切断される前に割当てられたＳＷ３０のＩＤを通信装置４０から消去し、ＳＷ３０が再接続された際に別のＩＤを通信装置４０が割当てるようにする。スピーカ装置２０は、ＳＷ３０との無線リンク確立時のＳＷ３０のＩＤしか認識していないため、そのＩＤが通信装置４０において設定されているか否かを通信装置４０に対して逐次確認することによりＳＷ３０が無線接続されているか否か判断する。
【００６８】
（４）また、上述した実施形態では、ＳＷ３０がミュート状態である場合に、スピーカ装置２０からミュート状態を解除する指示のコマンドのみをＳＷ３０に送信する例について説明したが、コマンドと共にＳＷ３０に対応する放音制御情報を送信するようにしてもよい。この場合、例えば、ＳＷ３０がミュート状態であるときに、スピーカ装置２０においてボリューム等を変更する操作が行われた場合には、変更操作に応じて設定情報を更新し、更新した設定情報からＳＷ３０に対応するボリューム値や帯域等の情報を抽出した放音制御情報を含む各コマンドと、ミュート状態を解除する指示のコマンドとを順次送信する
【００６９】
（５）上述した実施形態では、スピーカ装置２０が通信装置４０からオーディオデータを受信する際にＳＷ３０の検出を行う例について説明したが、例えば、オーディオデータを受信する前に、スピーカ装置２０と通信装置４０との間で無線リンクが確立したときに行うようにしてもよい。
【００７０】
（６）上述した実施形態では、通信装置４０からオーディオデータを受信する受信機は、スピーカ装置２０とＳＷ３０である例について説明したが、受信機は３台以上であってもよい。このような場合には、受信機の中からコマンドを送信するマスタ装置を設定し、コマンドを送信するマスタ装置が他の受信機の検出を行って無線リンクを確立する。
そして、そのマスタ装置が、各受信機に対し、無線接続の状態を確認する処理とミュート状態か否かを確認する処理を行い、自発的にミュート処理を行っている受信機にミュート状態を解除する指示のコマンドを送信し、そのコマンドを受信した各受信機においてミュート処理を解除する。
なお、コマンドを送信するマスタ装置の設定は、ユーザ操作による手動で行ってもよいし、例えば、受信機に有線接続されている機器数や機器種別、又は受信機に設けられている機能に応じてマスタ装置として振舞うか否かを定める等の、予め定められたアルゴリズムに従ってマスタ装置を自動設定するようにしてもよい。
【符号の説明】
【００７１】
１・・・オーディオシステム、２０・・・スピーカ装置(第２オーディオ装置)、３０・・・サブウーファー装置(第１オーディオ装置)、４０・・・通信装置(外部装置)、４１・・・携帯オーディオ機器、４２・・・通信モジュール、２１１，４２２・・・無線通信部、２１２，４２３・・・通信制御部、２１３，４１２・・・記憶部、２１４，４１１・・・制御部、２１５，３１３・・・音声処理部、２１６・・・増幅部、２１７，３１４・・・放音部、２１８，４１３・・・操作部、２１９，４１４・・・表示部、３１１・・・無線通信部、４１５・・・音声出力部、４１６，４２１・・・インターフェース
【図１】
2011061628.tif 000003
【図２】
2011061628.tif 000004
【図３】
2011061628.tif 000005
【図４】
2011061628.tif 000006
【図５】
2011061628.tif 000007
【図６】
2011061628.tif 000008
【図７】
2011061628.tif 000009
【図８】
2011061628.tif 000010